(57)【要約】【課題】モアレの発生を抑制できるようにする。【解決手段】立体映像表示装置の画像が表示されるフィルタ面には、立体画像を表示するための各色の光を透過させるフィルタ領域を有するサブ画素が配置されている。そして、これらのサブ画素に表示された画像がパララックスバリアを介して、観察者の眼に知覚される。立体映像表示装置では、観察者の視点位置によらず、パララックスバリアを介して観察者の一方の眼に視認されるフィルタ面上の視認領域において、各色のフィルタ領域の開口率が略一定となるようになされている。これにより、観察者の視点位置の変化による視認領域内の輝度変化を抑制し、モアレを低減させることができる。本発明は、表示装置に適用することができる。【選択図】図４
2012194274.tif 000002
【特許請求の範囲】
【請求項１】
複数の視点の画像からなる立体画像を表示するための色光を発する領域を有する表示部と、
異なる視点の前記画像が観察者の異なる眼で観察されるように、各視点の前記画像を光学的に分離する分離部と
を備え、
前記観察者により視認される、所定の視点の前記画像が表示されている前記表示部上の視認領域内において、前記立体画像を観察する前記観察者の視点位置によらず、前記立体画像の視差方向の各位置に前記色光を発する領域が存在する
表示装置。
【請求項２】
前記表示部は、前記色光を発する領域と光を遮光する遮光領域とからなり、前記視認領域内の前記視差方向の各位置において、前記遮光領域の前記視差方向と略垂直な垂直方向の幅の合計が略一定の値となる
請求項１に記載の表示装置。
【請求項３】
前記表示部は、前記色光を発する領域と光を遮光する遮光領域とからなり、前記立体画像を観察する前記観察者の視点位置によらず、前記視認領域内の前記遮光領域の面積は略一定の値となる
請求項１に記載の表示装置。
【請求項４】
前記表示部は、前記色光を発する領域と光を遮光する遮光領域とからなり、
前記色光を発する領域は、前記色光を透過させるフィルタの一部に前記遮光領域となる遮光部を設けることにより形成され、
前記遮光部は、前記フィルタにおける前記視差方向と略垂直な垂直方向の両側の端に設けられている
請求項１に記載の表示装置。
【請求項５】
複数の視点画像からなる色光を発する領域を有する表示部と、
各視点画像を光学的に分離する分離部と
を備え、
前記表示部は、前記色光を発する領域と光を遮光する遮光領域とからなり、前記遮光領域の前記視点画像が並ぶ方向と略垂直な垂直方向の幅の合計が略一定の値となる
表示装置。
【発明の詳細な説明】
【技術分野】
【０００１】
本発明は表示装置に関し、特にモアレの発生を抑制できるようにした表示装置に関する。
【背景技術】
【０００２】
従来、パララックスバリア方式（視差バリア方式）や、レンチキュラーレンズ方式などにより、特殊な眼鏡を必要とせずに立体画像を表示させる表示装置が知られている。
【０００３】
このような表示装置では、視点の異なる画像が、それぞれ観察者の異なる眼で観察されるように画像表示が行なわれるが、表示装置の画像が表示される画素の領域と、画像が表示されない非画素の領域とが観察者に知覚され、モアレが生じてしまうことがあった。すなわち、画素の領域と非画素の領域との輝度差が大きいと、モアレが生じてしまう。
【０００４】
そこで、パララックスバリアを利用して立体画像を表示する場合に、パララックスバリアのスリット領域を平行四辺形状とすることで、観察者に知覚される明るさの変化を滑らかにし、モアレを軽減させる技術が提案されている（例えば、特許文献１参照）。
【先行技術文献】
【特許文献】
【０００５】
【特許文献１】特開２００５−８６５０６号公報
【発明の概要】
【発明が解決しようとする課題】
【０００６】
しかしながら、上述した技術では、ある程度、モアレを軽減させることが可能となるが、その分、クロストークが発生してしまい、３Dとしての視認性が大きく低下してしまう。
【０００７】
本技術は、このような状況に鑑みてなされたものであり、モアレの発生を抑制できるようにするものである。
【課題を解決するための手段】
【０００８】
本技術の第１の側面の表示装置は、複数の視点の画像からなる立体画像を表示するための色光を発する領域を有する表示部と、異なる視点の前記画像が観察者の異なる眼で観察されるように、各視点の前記画像を光学的に分離する分離部とを備え、前記観察者により視認される、所定の視点の前記画像が表示されている前記表示部上の視認領域内において、前記立体画像を観察する前記観察者の視点位置によらず、前記立体画像の視差方向の各位置に前記色光を発する領域が存在する。
【０００９】
前記表示部を、前記色光を発する領域と光を遮光する遮光領域とから構成し、前記視認領域内の前記視差方向の各位置において、前記遮光領域の前記視差方向と略垂直な垂直方向の幅の合計が略一定の値となるようにすることができる。
【００１０】
前記表示部を、前記色光を発する領域と光を遮光する遮光領域とから構成し、前記立体画像を観察する前記観察者の視点位置によらず、前記視認領域内の前記遮光領域の面積が略一定の値となるようにすることができる。
【００１１】
前記表示部を、前記色光を発する領域と光を遮光する遮光領域とから構成し、前記色光を発する領域を、前記色光を透過させるフィルタの一部に前記遮光領域となる遮光部を設けることにより形成し、前記遮光部を、前記フィルタにおける前記視差方向と略垂直な垂直方向の両側の端に設けることができる。
【００１２】
本技術の第１の側面においては、複数の視点の画像からなる立体画像を表示するための色光を発する領域を有する表示部に各視点の前記画像が表示され、分離部において、異なる視点の前記画像が観察者の異なる眼で観察されるように、各視点の前記画像が光学的に分離される。また、前記観察者により視認される、所定の視点の前記画像が表示されている前記表示部上の視認領域内において、前記立体画像を観察する前記観察者の視点位置によらず、前記立体画像の視差方向の各位置に前記色光を発する領域が存在するようにされる。
【００１３】
本技術の第２の側面の表示装置は、複数の視点画像からなる色光を発する領域を有する表示部と、各視点画像を光学的に分離する分離部とを備え、前記表示部は、前記色光を発する領域と光を遮光する遮光領域とからなり、前記遮光領域の前記視点画像が並ぶ方向と略垂直な垂直方向の幅の合計が略一定の値となる。
【００１４】
本技術の第２の側面においては、複数の視点画像からなる色光を発する領域を有する表示部に各視点画像が表示され、分離部において、各視点画像が光学的に分離される。また、前記表示部は、前記色光を発する領域と光を遮光する遮光領域とから構成され、前記遮光領域の前記視点画像が並ぶ方向と略垂直な垂直方向の幅の合計が略一定の値となるようにされる。
【発明の効果】
【００１５】
本技術の第１および第２の側面によれば、モアレの発生を抑制することができる。
【図面の簡単な説明】
【００１６】
【図１】立体映像表示装置の一実施の形態の構成例を示す図である。
【図２】表示部の構成例を示す図である。
【図３】立体画像の一例を示す図である。
【図４】カラーフィルタの配置例を示す図である。
【図５】視認領域内におけるフィルタ領域の開口率について説明する図である。
【図６】カラーフィルタの配置例を示す図である。
【図７】カラーフィルタの配置例を示す図である。
【図８】カラーフィルタの配置例を示す図である。
【発明を実施するための形態】
【００１７】
以下、図面を参照して、本技術を適用した実施の形態について説明する。
【００１８】
〈第１の実施の形態〉
［立体映像表示装置の構成例］
図１は、本技術を適用した立体映像表示装置の一実施の形態の構成例を示す図である。
【００１９】
立体映像表示装置１１は、パララックスバリア方式による３次元の立体画像と、２次元の平面画像との表示の切り替えを必要に応じて行ないながら、立体画像や平面画像を表示するものである。立体映像表示装置１１は、表示部２１、制御部２２、およびパララックスバリア駆動部２３から構成される。
【００２０】
表示部２１は、バックライト３１、光変調パネル３２、およびパララックスバリア３３からなり、観察者の右眼で観察（知覚）される右眼用の画像と、観察者の左眼で観察される左眼用の画像とからなる３次元の立体画像や、２次元の平面画像を表示する。
【００２１】
すなわち、バックライト３１は、導光板、ＬＥＤ（Light Emitting Diode）等の光源、反射シートなどからなる画像ディスプレイ専用の照明装置であり、画像を表示させるための光を射出し、光変調パネル３２に入射させる。
【００２２】
光変調パネル３２は、Ｒ，Ｇ，Ｂの各色のカラーフィルタ、液晶層、偏光板、薄膜トランジスタなどからなる液晶表示パネルであり、バックライト３１から入射した光を透過させることで、画像を表示させる。このとき、光変調パネル３２は、光変調パネル３２に設けられた画素ごとに、光の透過率を変化させることで、画像の各画素の階調表示を行なう。
【００２３】
パララックスバリア３３は、偏光板やスイッチ液晶層などからなり、立体画像の表示時において、光変調パネル３２から入射した光の一部を遮光し、残りの一部を透過させることで、右眼用と左眼用の画像を光学的に分離させる。また、パララックスバリア３３は、平面画像の表示時においては、光変調パネル３２から入射した光をそのまま透過させる。
【００２４】
制御部２２は、立体映像表示装置１１の各部、すなわち表示部２１やパララックスバリア駆動部２３を制御する。例えば、制御部２２は、表示部２１の図示せぬ表示ドライバを駆動させて光変調パネル３２に画像を表示させたり、バックライト３１から光を射出させたりする。
【００２５】
パララックスバリア駆動部２３は、制御部２２の制御にしたがって、パララックスバリア３３を駆動させ、光変調パネル３２からパララックスバリア３３に入射する光の一部を遮光させることで、右眼用と左眼用の画像を分離させる。より具体的には、パララックスバリア駆動部２３は、パララックスバリア３３に、光を透過させるスリット領域と、光を遮光する遮光領域とを形成させる。
【００２６】
［表示部の構成例］
次に、図１の表示部２１の構成について説明する。図２は、表示部２１のより詳細な構成例を示す図である。なお、図２において、図１における場合と対応する部分には同一の符号を付してあり、その説明は適宜省略する。また、図２において横方向、奥行き方向、および縦方向を、それぞれｘ方向、ｙ方向、およびｚ方向とする。
【００２７】
図２では、光変調パネル３２は、偏光板６１、偏光板６２、対向基板６３、ＴＦＴ（Thin Film Transistor）基板６４、および液晶層６５から構成されている。
【００２８】
すなわち、対向して配置された偏光板６１と偏光板６２の間に、平板状の対向基板６３とＴＦＴ基板６４とが互いに対向するように設けられている。そして、対向基板６３とＴＦＴ基板６４との間に液晶層６５が形成されている。
【００２９】
対向基板６３の液晶層６５側の面には、画素ごとにカラーフィルタや対向電極が設けられている。特に、対向基板６３の各画素の領域には、Ｒ，Ｇ，Ｂの各色のカラーフィルタが設けられている。また、ＴＦＴ基板６４の液晶層６５側の面には、画素電極や駆動素子であるＴＦＴ（薄膜トランジスタ）が画素ごとに設けられている。
【００３０】
液晶層６５には、立体画像表示時に、左眼用の画像を表示するための光を透過させる透過部７１Ｌ−１乃至透過部７１Ｌ−４と、立体画像表示時に、右眼用の画像を表示するための光を透過させる透過部７１Ｒ−１乃至透過部７１Ｒ−４とが設けられている。光変調パネル３２では、行列状に配置された各画素に１つの透過部が設けられている。
【００３１】
立体画像または平面画像の表示時においては、対向基板６３の対向電極と、ＴＦＴ基板６４の画素電極に電圧が印加されると、その電圧の大きさに応じて、透過部７１Ｌ−１乃至透過部７１Ｒ−４内に封入されている液晶分子の配向方向が変化する。これにより、バックライト３１から光変調パネル３２に入射した光の透過率が変化し、各画素を透過する光の量が、それらの画素に表示される画像の画素の画素値に対応する光量となる。
【００３２】
なお、以下、透過部７１Ｌ−１乃至透過部７１Ｌ−４を個々に区別する必要のない場合、単に透過部７１Ｌとも称し、透過部７１Ｒ−１乃至透過部７１Ｒ−４を個々に区別する必要のない場合、単に透過部７１Ｒとも称する。また、以下、透過部７１Ｌと透過部７１Ｒを特に区別する必要のない場合、単に透過部７１とも称する。
【００３３】
光変調パネル３２では、ｘｙ平面上において、透過部７１Ｌと透過部７１Ｒとがｘ方向に交互に設けられており、ｙ方向には、透過部７１Ｌまたは透過部７１Ｒの何れかが連続して並べられている。
【００３４】
したがって、立体画像の表示時において、光変調パネル３２には、立体画像を構成する左眼用の画像上の矩形状の領域と、立体画像を構成する右眼用の画像上の矩形状の領域とがｘ方向に交互に並べられて表示されることになる。また、１つの画素、すなわち１つの透過部７１を透過する光が、画像上の１つの画素を表示する光となる。
【００３５】
ここで、立体画像を構成する左眼用と右眼用の画像は、互いに視差を有する画像であるが、図２におけるｘ方向が左眼用と右眼用の画像の視差の方向、つまり観察者の左右の眼が並ぶ方向である。以下においては、ｘ方向を視差方向とも呼ぶこととする。
【００３６】
また、２次元の平面画像の表示時においては、各透過部７１は、バックライト３１から入射してきた、平面画像を表示させるための光を透過させ、パララックスバリア３３に入射させる。
【００３７】
パララックスバリア３３は、偏光板６１、偏光板８１、透明基板８２、透明基板８３、およびスイッチ液晶層８４から構成されている。図２では、偏光板６１は、光変調パネル３２を構成する部材としても、パララックスバリア３３を構成する部材としても用いられている。
【００３８】
パララックスバリア３３では、対向して配置された偏光板６１と偏光板８１の間に、平板状の透明基板８２と透明基板８３が互いに対向するように設けられている。そして、透明基板８２と透明基板８３との間にスイッチ液晶層８４が形成されている。
【００３９】
透明基板８２と透明基板８３のスイッチ液晶層８４側の面には、電極が形成されており、これらの電極の一部または全部に電圧が印加されると、スイッチ液晶層８４内の液晶分子の配向方向が変化する。これにより、スイッチ液晶層８４には、パララックスバリア（視差バリア）が形成される。
【００４０】
図２の例では、光変調パネル３２から入射した光を透過させるスリット領域９１−１乃至スリット領域９１−４と、光変調パネル３２から入射した光を遮光する遮光領域９２−１乃至遮光領域９２−４とからなるパララックスバリアが、スイッチ液晶層８４に形成されている。
【００４１】
なお、以下、スリット領域９１−１乃至スリット領域９１−４を個々に区別する必要のない場合、単にスリット領域９１とも称し、遮光領域９２−１乃至遮光領域９２−４を個々に区別する必要のない場合、単に遮光領域９２とも称する。
【００４２】
図２では、スイッチ液晶層８４に、ｙ方向に長い矩形状のスリット領域９１と遮光領域９２とが視差方向（ｘ方向）に交互に形成されている状態となっている。つまり、スイッチ液晶層８４にはストライプ状のパララックスバリアが形成されている。ここで、遮光領域９２が形成されている領域が、電極により電圧が印加された領域である。
【００４３】
表示部２１では、立体画像の表示時には、透明基板８２と透明基板８３の電極に電圧が印加されて、スイッチ液晶層８４に図２に示すパララックスバリアが形成される。このような場合、光変調パネル３２から射出され、偏光板６１で直線偏光とされた光のうち、スリット領域９１に入射した光は、そのままスリット領域９１および偏光板８１を透過する。これに対して、光変調パネル３２から射出され、偏光板６１で直線偏光とされた光のうち、遮光領域９２に入射した光は、遮光領域９２に吸収されてパララックスバリア３３からは射出されない。
【００４４】
また、表示部２１では、平面画像の表示時には、透明基板８２と透明基板８３の電極に電圧は印加されず、スイッチ液晶層８４にパララックスバリアが形成されない。つまり、スイッチ液晶層８４の全領域がスリット領域と同じ状態となる。この場合、光変調パネル３２から入射した光は全て、パララックスバリア３３を透過して、観察者の左右の眼に入射することになる。
【００４５】
［立体映像表示装置の動作の説明］
次に、立体映像表示装置１１の動作について説明する。なお、図２に示すように、観察者は、表示部２１のパララックスバリア３３の表面からｚ方向に所定の距離（例えば、３０ｃｍ）だけ離れた位置から、立体映像表示装置１１に表示される画像を観察する。また、一般的な観察者の右眼ＥＲと左眼ＥＬとの間の距離は、６．５ｃｍ程度とされる。
【００４６】
まず、３次元の立体画像が表示される場合について説明する。そのような場合、制御部２２は、立体画像の画像信号に基づいて、光変調パネル３２の画素ごとに、対向基板６３の対向電極およびＴＦＴ基板６４の画素電極に電圧を印加させる。これにより、立体画像の各画素を表示する透過部７１は、それらの画素の画素値に応じた透過率で光を透過させるようになる。
【００４７】
また、制御部２２は、パララックスバリア駆動部２３にパララックスバリア３３の駆動を指示し、パララックスバリア駆動部２３は、その指示に応じてパララックスバリア３３を駆動させる。すなわち、パララックスバリア駆動部２３は、透明基板８２および透明基板８３の電極に電圧を印加して、スイッチ液晶層８４に、スリット領域９１と遮光領域９２とからなるパララックスバリアを形成させる。
【００４８】
さらに、制御部２２は、バックライト３１から光を射出させる。バックライト３１から射出された光は、偏光板６２およびＴＦＴ基板６４を透過して透過部７１に入射する。そして、透過部７１に入射した光は、立体画像の各画素の画素値に応じた透過率で透過部７１を透過し、対向基板６３、偏光板６１、透明基板８３、スリット領域９１、透明基板８２、および偏光板８１を介して、観察者の眼に入射する。
【００４９】
このとき、バックライト３１から射出された光のうち、左眼用の透過部７１Ｌを透過した光は、観察者の左眼ＥＬに入射し、右眼用の透過部７１Ｒを透過した光は、観察者の右眼ＥＲに入射する。これにより、立体画像を構成する左眼用および右眼用の画像が観察者の左眼ＥＬおよび右眼ＥＲで知覚され、その結果、観察者により画像が立体的に知覚されることになる。
【００５０】
例えば、バックライト３１から射出され、左眼用の透過部７１Ｌ−２を透過した光は、さらにスリット領域９１−２を透過し、観察者の左眼ＥＬに入射する。また、バックライト３１から射出され、右眼用の透過部７１Ｒ−２を透過した光は、さらにスリット領域９１−２を透過し、観察者の右眼ＥＲに入射する。
【００５１】
また、バックライト３１から射出され、透過部７１を透過した後、遮光領域９２に入射した光は、遮光領域９２により吸収（遮光）され、観察者の眼には入射しない。すなわち、これらの光はパララックスバリアによりバリアされる。
【００５２】
なお、表示部２１では、各透過部７１を透過するＲ，Ｇ，Ｂの各色の光が図２のｘｚ平面上において、略同じ幅で広がって観察者の左眼ＥＬおよび右眼ＥＲに入射するようになされている。
【００５３】
例えば、図２では、透過部７１Ｌ−２を透過したＲ，Ｇ，Ｂの各色の光、および透過部７１Ｒ−２を透過したＲ，Ｇ，Ｂの各色の光が、ｘｚ平面上において略同じ幅で広がって観察者の左眼ＥＬおよび右眼ＥＲに入射している。
【００５４】
図２では、ＭＬＲ１、ＭＬＧ１、およびＭＬＢ１は、それぞれ透過部７１Ｌ−２を透過したＲの色の光、Ｇの色の光、およびＢの色の光のそれぞれを表しており、これらの光は略同じ幅で広がって観察者の左眼ＥＬに入射している。また、図２において、ＭＲＲ１、ＭＲＧ１、およびＭＲＢ１は、それぞれ透過部７１Ｒ−２を透過したＲの色の光、Ｇの色の光、およびＢの色の光のそれぞれを表しており、これらの光も略同じ幅で広がって観察者の右眼ＥＲに入射している。
【００５５】
したがって、観察者の視点位置（左眼ＥＬおよび右眼ＥＲ）が視差方向に移動したとしても、視差方向の各位置において、観察者の眼に入射するＲ，Ｇ，Ｂの各色の光の光量比が略一定となり、立体画像の色バランスが崩れてしまうことを抑制することができる。
【００５６】
立体画像を表示させる場合、図３に示すように、互いに視差を有する右眼用の画像ＰＲと左眼用の画像ＰＬとから、立体画像ＰＤが生成され、この立体画像ＰＤが光変調パネル３２に表示される。なお、図３中、横方向および縦方向は、ｘ方向（視差方向）およびｙ方向に対応する方向である。
【００５７】
立体画像ＰＤは、例えば、画像ＰＲと画像ＰＬをそれぞれｙ方向に長い短冊状の矩形領域に分割し、画像ＰＲから得られた矩形領域と、画像ＰＬから得られた矩形領域とをｘ方向に交互に並べることで得られる画像である。このように、画像ＰＲと画像ＰＬからなる立体画像ＰＤが光変調パネル３２に表示される場合、立体画像ＰＤを構成する左眼用の画像ＰＬは、透過部７１Ｌを有する画素に表示され、右眼用の画像ＰＲは、透過部７１Ｒを有する画素に表示されることになる。
【００５８】
次に、立体映像表示装置１１に２次元の平面画像を表示させる場合について説明する。この場合、制御部２２は、平面画像の画像信号に基づいて、光変調パネル３２の画素ごとに、画素電極等に対して電圧を印加させ、透過部７１における光の透過率を、それらの画素の画素値に応じた透過率とさせる。
【００５９】
また、制御部２２は、パララックスバリア駆動部２３を制御して、パララックスバリア３３の電極に電圧が印加されず、パララックスバリアが形成されていない状態とするとともに、表示部２１を制御し、バックライト３１から光を射出させる。
【００６０】
バックライト３１から射出された光は、光変調パネル３２およびパララックスバリア３３を透過して、観察者の左右の眼に入射する。つまり、光変調パネル３２の透過部７１を有する画素のそれぞれに、平面画像の各画素が表示される。
【００６１】
［フィルタ領域の配置について］
ところで、光変調パネル３２の各画素には、例えば図４に示すように、バックライト３１から入射した光のうちのＲ，Ｇ，Ｂの各色の成分のみを透過させてパララックスバリア３３に入射させるカラーフィルタが設けられている。なお、図４において、図２における場合と対応する部分には同一の符号を付してあり、その説明は適宜省略する。
【００６２】
また、図４では、光変調パネル３２およびスイッチ液晶層８４の一部が示されており、図中、横方向、縦方向、および奥行き方向は、それぞれｘ方向、ｙ方向、およびｚ方向を示している。さらに、図４では説明のため、スイッチ液晶層８４が光変調パネル３２に対して、図中、下方向にずらされて図示されている。
【００６３】
図４の例では、立体画像表示時に、光変調パネル３２の領域１２１Ｒ−１および領域１２１Ｒ−２に右眼用の画像が表示され、領域１２１Ｌ−１および領域１２１Ｌ−２に左眼用の画像が表示されるようになされている。
【００６４】
なお、以下、領域１２１Ｒ−１および領域１２１Ｒ−２を特に区別する必要のない場合、単に領域１２１Ｒと称し、領域１２１Ｌ−１および領域１２１Ｌ−２を特に区別する必要のない場合、単に領域１２１Ｌと称する。
【００６５】
これらの領域１２１Ｒおよび領域１２１Ｌには、各画素を構成するサブ画素が設けられており、各サブ画素は、カラーフィルタや透過部７１などから構成される。これらのサブ画素は、立体画像の画素の各色成分が表示される領域である。光変調パネル３２では、右眼用の画像が表示される領域１２１Ｒと、左眼用の画像が表示される領域１２１Ｌとがｘ方向に交互に配置されている。
【００６６】
例えば、領域１２１Ｌ−１には、Ｇ，Ｂ，Ｒの各色のカラーフィルタを有するサブ画素ＳＢＧ１１、サブ画素ＳＢＢ１１、およびサブ画素ＳＢＲ１１が設けられている。また、領域１２１Ｒ−１には、Ｇ，Ｂ，Ｒの各色のカラーフィルタを有するサブ画素ＳＢＧ１２、サブ画素ＳＢＢ１２、およびサブ画素ＳＢＲ１２が設けられている。
【００６７】
各カラーフィルタは、対向基板６３の液晶層６５側の面（以下、フィルタ面と称する）に設けられているが、このフィルタ面において、サブ画素以外の領域は、光を遮光する遮光領域となっている。
【００６８】
なお、図４では、各サブ画素に設けられたカラーフィルタのうち、Ｒの色の光のみを透過させるカラーフィルタの領域は、文字「Ｒ」が記された斜線が施されている領域とされている。また、各サブ画素に設けられたカラーフィルタのうち、Ｇの色の光のみを透過させるカラーフィルタの領域およびＢの色の光のみを透過させるカラーフィルタの領域は、それぞれ文字「Ｇ」が記された縦線が施されている領域、および文字「Ｂ」が記された横線が施されている領域とされている。
【００６９】
また、サブ画素ＳＢＧ１１には、Ｇの色の光のみを透過させるＧのカラーフィルタのフィルタ領域１３１Ｇが設けられている。また、サブ画素ＳＢＢ１１、およびサブ画素ＳＢＲ１１には、Ｂの色の光のみを透過させるＢのカラーフィルタのフィルタ領域１３１Ｂ、およびＲの色の光のみを透過させるＲのカラーフィルタのフィルタ領域１３１Ｒが設けられている。
【００７０】
同様に、サブ画素ＳＢＧ１２、サブ画素ＳＢＢ１２、およびサブ画素ＳＢＲ１２には、Ｇ，Ｂ，Ｒの各色のカラーフィルタのフィルタ領域１３２Ｇ、フィルタ領域１３２Ｂ、およびフィルタ領域１３２Ｒが設けられている。
【００７１】
さらに、各サブ画素には、各色の光を透過させるフィルタ領域の他に、光を遮光する遮光領域が設けられている。例えば、サブ画素ＳＢＧ１１では、フィルタ領域１３１Ｇ以外の領域が遮光領域となっており、フィルタ領域１３１Ｇの図中、下側に遮光領域が設けられている。この遮光領域は、フィルタ領域１３１Ｇとされる、平行四辺形状のサブ画素ＳＢＧ１１と同じ大きさのＧのカラーフィルタの一部を、遮光部材で遮蔽することにより形成される。他のサブ画素についても、サブ画素ＳＢＧ１１と同様にして、フィルタ領域以外の部分が遮光領域とされている。
【００７２】
特に、各サブ画素において、サブ画素内の遮光領域のｙ方向の長さは、ｘ方向に隣接するサブ画素間にある遮光領域のｙ方向の長さと略等しくなるようになされている。例えば、サブ画素ＳＢＧ１１内の遮光領域の矢印Ｍ１１により示されるｙ方向の長さと、サブ画素ＳＢＧ１１とサブ画素ＳＢＧ１２との間にある遮光領域の矢印Ｍ１２により示されるｙ方向の長さとは、ともに１２μｍとなっている。なお、各サブ画素間にある遮光領域のｙ方向の幅は、ｘ方向の各位置において略等しくなっている。
【００７３】
また、光変調パネル３２のフィルタ面では、ｙ方向にＲ，Ｇ，Ｂの各色のサブ画素が順番に配置されており、ｘ方向には、同じ色のサブ画素が並ぶように配置されている。さらに、互いにｘ方向に隣接するサブ画素の端同士は略平行となるようになされている。
【００７４】
このように、フィルタ面には、バックライト３１から入射した光のうち、Ｒ，Ｇ，Ｂの各色の光を透過させるフィルタ領域を有するサブ画素が行列状に設けられている。そして、これらのフィルタ領域を透過した各色の光の一部が、スリット領域９１を介して観察者の眼に入射し、観察者により立体画像が知覚されることになる。
【００７５】
例えば、バックライト３１から入射し、領域１２１Ｒ−１内にあるフィルタ領域を透過した光は、スリット領域９１−２を介して観察者の右眼に入射する。また、バックライト３１から入射し、領域１２１Ｌ−１内にあるフィルタ領域を透過した光は、スリット領域９１−２を介して観察者の左眼に入射する。
【００７６】
［モアレの低減について］
ところで、立体画像を表示したときに生じるモアレを低減させるには、観察者の視点がｘ方向（視差方向）にずれた場合における、光変調パネル３２上の観察者により視認される左眼用または右眼用の画像が表示される視認領域内の輝度の変動を低減させればよい。換言すれば、観察者の視点位置によらず、視認領域内において、他の領域と比べて輝度の低い遮光領域の面積が小さければよい。
【００７７】
なお、視認領域とは、フィルタ面上の左眼用または右眼用の画像が表示される領域のうち、パララックスバリアによりバリアされずに、観察者の一方の眼により知覚される画像が表示されている領域である。すなわち、バックライト３１からの光が全てフィルタ面を透過すると仮定した場合に、バックライト３１からの光のうち、スリット領域９１を介して観察者の片方の眼に入射する光が通るフィルタ面上の領域が視認領域である。
【００７８】
このようなモアレを低減させるために、光変調パネル３２では、フィルタ面のｘ方向の各位置において、必ずＲ，Ｇ，Ｂの各色のフィルタ領域が存在するようにサブ画素が配置されている。例えば、図４において、フィルタ面上のサブ画素ＳＢＧ１１とサブ画素ＳＢＧ１２とを含む領域内において、ｘ方向の各位置において、必ずフィルタ領域１３１Ｇまたはフィルタ領域１３２Ｇの少なくとも一方が存在している。
【００７９】
したがって、観察者の視認領域内に、サブ画素ＳＢＧ１１とサブ画素ＳＢＧ１２との間の遮光領域が含まれるような場合であっても、視認領域の輝度の低下、つまり視認領域を透過する光の光量の低下を低減させることができ、モアレの発生を抑制することができる。
【００８０】
特に、サブ画素ＳＢＧ１１とサブ画素ＳＢＧ１２の間の遮光領域の面積は、サブ画素のフィルタ領域を、フィルタ領域１３１Ｇと同面積の長方形状の領域とした場合における、サブ画素間の遮光領域の面積と比べて大幅に小さく、モアレの発生が抑制されることが分かる。
【００８１】
しかも、光変調パネル３２では、ｘ方向の各位置において、遮光領域のｙ方向の幅、つまりフィルタ領域のｙ方向の幅（複数のフィルタ領域があるときは、それらのｙ方向の幅の合計値）が、略同じ値となっている。
【００８２】
そのため、例えば図５に示すように、観察者の視認領域の位置によらず、視認領域内にある各色のフィルタ領域の開口率、つまりフィルタ領域の面積が略一定となり、観察者の視点位置の変化により生じる視認領域内の輝度の変動を防止し、モアレの発生を抑制できる。
【００８３】
なお、図５において、図４における場合と対応する部分には同一の符号を付してあり、その説明は適宜省略する。また、図５において、横方向、縦方向、および奥行き方向は、それぞれｘ方向、ｙ方向、およびｚ方向を示している。
【００８４】
観察者の視点位置がｘ方向（視差方向）に変化すると、フィルタ面上における視認領域もｘ方向に移動する。例えば、５つの異なる視認領域Ｑ１１乃至視認領域Ｑ１５に注目すると、これらの視認領域Ｑ１１乃至視認領域Ｑ１５内におけるフィルタ領域１３１Ｇまたはフィルタ領域１３２Ｇからなる領域の面積は、等しくなる。換言すれば、視認領域Ｑ１１乃至視認領域Ｑ１５のそれぞれに設けられた遮光領域の面積は略等しくなっている。
【００８５】
具体的には、例えば視認領域Ｑ１３内における、フィルタ領域１３１Ｇの領域の面積とフィルタ領域１３２Ｇの領域の面積の和は、視認領域Ｑ１２内にあるフィルタ領域１３１Ｇの領域の面積と等しい。
【００８６】
このように、各色について、視認領域内のフィルタ領域（遮光領域）の面積が等しくなるようにフィルタ領域を形成すれば、観察者の眼に常に一定量の光が入射することになり、モアレの発生を抑制することができるようになる。
【００８７】
また、光変調パネル３２では、フィルタ面上における視認領域の位置によらず、視認領域内における各色のフィルタ領域のｘ方向の幅と、フィルタ領域の面積が略一定となるので、観察者の視点位置によって立体画像の色バランスが崩れてしまうことを抑制することができる。立体映像表示装置１１では、３次元の立体画像を表示するときも、２次元の平面画像を表示するときも適切な色バランスを保つことができる。
【００８８】
なお、以上においては、バックライト３１とパララックスバリア３３の間に光変調パネル３２が配置されると説明したが、バックライト３１と光変調パネル３２の間にパララックスバリア３３が配置されるようにしてもよい。そのような場合、バックライト３１から射出された光は、パララックスバリア３３を介して光変調パネル３２に入射する。
【００８９】
〈第２の実施の形態〉
［フィルタ領域の配置について］
また、以上においては、各サブ画素のフィルタ領域のｙ方向の一方の端側にのみ、遮光領域が設けられる場合について説明したが、フィルタ領域のｙ方向の両側の端に遮光領域が設けられるようにしてもよい。
【００９０】
そのような場合、例えば図２の光変調パネル３２の各サブ画素には、図６に示すように、フィルタ領域を挟み込むように遮光領域が設けられる。なお、図６において、図２における場合と対応する部分には同一の符号を付してあり、その説明は適宜省略する。
【００９１】
また、図６では、光変調パネル３２およびスイッチ液晶層８４の一部が示されており、図中、横方向、縦方向、および奥行き方向は、それぞれｘ方向、ｙ方向、およびｚ方向を示している。さらに、図６では説明のため、スイッチ液晶層８４が光変調パネル３２に対して、図中、下方向にずらされて図示されている。
【００９２】
図６の例においても、図４における場合と同様に、立体画像表示時において、右眼用の画像が表示されるサブ画素からなる領域と、左眼用の画像が表示されるサブ画素からなる領域とがｘ方向に交互に並んでいる。また、それらの領域内の各サブ画素には、Ｇ，Ｂ，Ｒの各色のカラーフィルタのフィルタ領域と、遮光領域とが設けられている。
【００９３】
なお、図６では、各サブ画素に設けられたカラーフィルタのうち、Ｒの色の光のみを透過させるカラーフィルタの領域は、文字「Ｒ」が記された斜線が施されている領域とされている。また、各サブ画素に設けられたカラーフィルタのうち、Ｇの色の光のみを透過させるカラーフィルタの領域およびＢの色の光のみを透過させるカラーフィルタの領域は、それぞれ文字「Ｇ」が記された縦線が施されている領域、および文字「Ｂ」が記された横線が施されている領域とされている。
【００９４】
例えば、サブ画素ＳＢＧ２１、サブ画素ＳＢＢ２１、およびサブ画素ＳＢＲ２１は、それぞれＧ，Ｂ，Ｒの各色のカラーフィルタのフィルタ領域１６１Ｇ、フィルタ領域１６１Ｂ、およびフィルタ領域１６１Ｒを有している。
【００９５】
また、サブ画素ＳＢＧ２１内には、フィルタ領域１６１Ｇの図中、上下に隣接して遮光領域１７１−１と遮光領域１７１−２が設けられている。例えば、遮光領域１７１−１と遮光領域１７１−２のｙ方向の幅は、６μｍなどとされる。つまり、サブ画素ＳＢＧ２１では、図４のサブ画素内の遮光領域と比べて面積が半分である２つの遮光領域が、フィルタ領域１６１Ｇの図中、上下に設けられている。
【００９６】
したがって、例えば図６のサブ画素ＳＢＧ２１のフィルタ領域１６１Ｇの面積と、図４のサブ画素ＳＢＧ１１のフィルタ領域１３１Ｇの面積は等しく、それらのサブ画素ＳＢＧ２１とサブ画素ＳＢＧ１１内にある遮光領域の総面積も等しくなっている。
【００９７】
同様に、サブ画素ＳＢＢ２１とサブ画素ＳＢＲ２１内にも、サブ画素ＳＢＧ２１と同じ位置関係で遮光領域が設けられている。すなわち、サブ画素ＳＢＢ２１には、フィルタ領域１６１Ｂの図中、上下に隣接して遮光領域１７１−３と遮光領域１７１−４が設けられ、サブ画素ＳＢＲ２１には、フィルタ領域１６１Ｒの図中、上下に隣接して遮光領域１７１−５と遮光領域１７１−６が設けられている。
【００９８】
また、図６の例においては、各サブ画素内の遮光領域のｙ方向の長さの合計は、ｘ方向に隣接するサブ画素間にある遮光領域のｙ方向の長さと略等しくなるようになされている。例えば、矢印Ｍ２１により示される遮光領域のｙ方向の長さは１２μｍとされ、遮光領域１７１−１と遮光領域１７１−２のｙ方向の幅の合計も１２μｍとなっている。
【００９９】
そのため、図６に示す例においても、図４における場合と同様に、観察者の視認領域の位置によらず、視認領域内にある各色のフィルタ領域の面積（開口率）、および遮光領域の面積が略一定となる。これにより、観察者の視点位置の変化により生じる視認領域内の輝度の変動を防止し、モアレの発生を抑制できる。
【０１００】
しかも、図６の例では、図４の例と比べて、サブ画素内の遮光領域のｙ方向の幅が狭いので、つまり遮光領域の面積が小さいので、立体画像の表示時にも、平面画像の表示時においても観察者の眼に各遮光領域をより視認されにくくすることができる。
【０１０１】
例えば、サブ画素内の各遮光領域が大きいと、立体画像や平面画像の表示時に、周囲のフィルタ領域よりも輝度が低くなる遮光領域が黒いスジとして視認されてしまうことがある。このように、各遮光領域が観察者に視認されてしまうと、表示される画像の画質が低下してしまうことになる。そこで、図６の光変調パネル３２では、サブ画素内において、遮光領域の全体の面積は図４の場合と同じであるが、各遮光領域を小さくし、それらの遮光領域を離れた位置に配置することで、遮光領域が視認されにくくなっている。
【０１０２】
また、図６の例では、図４の場合と比べて、フィルタ面において、遮光領域１７１−１などのサブ画素を構成する遮光領域が、ｙ方向により短い周期で並んでいるので、さらに遮光領域が観察者に視認されにくくなっている。
【０１０３】
〈第３の実施の形態〉
［フィルタ領域の配置について］
さらに、以上においては、左眼用および右眼用の画像からなる立体画像を表示する場合について説明したが、立体映像表示装置１１が３以上の複数の視点の画像からなる多視点の立体画像を表示するようにしてもよい。
【０１０４】
そのような場合、光変調パネル３２のフィルタ面には、例えば図７に示すようにＲ，Ｇ，Ｂの各色のカラーフィルタを有するサブ画素が配置される。なお、図７において、図２における場合と対応する部分には同一の符号を付してあり、その説明は適宜省略する。また、図中、横方向、縦方向、および奥行き方向は、それぞれｘ方向、ｙ方向、およびｚ方向を示している。また、図７の例では、スイッチ液晶層８４、つまりパララックスバリア３３は、光変調パネル３２とバックライト３１の間に配置される。
【０１０５】
光変調パネル３２のフィルタ面には、図中、左側に示すように、各色のフィルタ領域を有するサブ画素がｘｙ方向に行列状に並べられて配置されている。なお、図７では、光変調パネル３２およびスイッチ液晶層８４の一部が示されており、説明のため、スイッチ液晶層８４が光変調パネル３２に対して、図中、右方向にずらされて図示されている。
【０１０６】
例えば、光変調パネル３２に、視点Ｖ１乃至視点Ｖ４の４つの異なる視点の画像からなる多視点の立体画像が表示される場合、フィルタ面上の領域ＰＶＲ１および領域ＰＶＲ５に、１つの視点Ｖ１の画像が表示される。
【０１０７】
また、フィルタ面上の領域ＰＶＲ２および領域ＰＶＲ６に、視点Ｖ２の画像が表示され、領域ＰＶＲ３に視点Ｖ３の画像が表示され、領域ＰＶＲ４に視点Ｖ４の画像が表示される。つまり、フィルタ面上において、視点Ｖ１乃至視点Ｖ４の画像が、ｘ方向に繰り返し順番に並べられて表示されることになる。
【０１０８】
そして、これらの視点Ｖ１乃至視点Ｖ４のうち、隣接して表示されている２つの視点の画像が、それぞれ観察者の左右の眼で知覚されて、立体画像が見えることになる。
【０１０９】
なお、図７では、各サブ画素のＲのカラーフィルタの領域は、文字「Ｒ」が記された斜線が施されている領域とされている。また、Ｇのカラーフィルタの領域およびＢのカラーフィルタの領域は、それぞれ文字「Ｇ」が記された縦線が施されている領域、および文字「Ｂ」が記された横線が施されている領域とされている。
【０１１０】
例えば、領域ＰＶＲ１には、視点Ｖ１の画像が表示されるが、立体画像の表示時においては、領域ＰＶＲ１内にあるＲ，Ｂ，Ｇの各色の光を透過させるサブ画素ＳＢＲ５１、サブ画素ＳＢＢ５１、およびサブ画素ＳＢＧ５１が１つの画素として機能する。つまり、サブ画素ＳＢＲ５１、サブ画素ＳＢＢ５１、およびサブ画素ＳＢＧ５１のそれぞれに、視点Ｖ１の画像の１つの画素のＲ，Ｂ，Ｇの成分のそれぞれが表示される。
【０１１１】
サブ画素ＳＢＲ５１には、バックライト３１から入射した光のうち、Ｒの色の光のみを透過させるＲのカラーフィルタのフィルタ領域２０１Ｒと、バックライト３１から入射した光を遮光する遮光領域２０２−１とが設けられている。
【０１１２】
同様に、サブ画素ＳＢＢ５１には、Ｂの色のカラーフィルタのフィルタ領域２０１Ｂと、光を遮光する遮光領域２０２−２とが設けられており、サブ画素ＳＢＧ５１には、Ｇの色のカラーフィルタのフィルタ領域２０１Ｇと、光を遮光する遮光領域２０２−３とが設けられている。
【０１１３】
また、領域ＰＶＲ５内にも、Ｇ，Ｒ，Ｂの各色のサブ画素ＳＢＧ５２、サブ画素ＳＢＲ５２、およびサブ画素ＳＢＢ５２が設けられている。そして、サブ画素ＳＢＧ５２には、Ｇの色のフィルタ領域２０３Ｇと、光を遮光する遮光領域２０４−１とが設けられている。さらに、サブ画素ＳＢＲ５２には、Ｒの色のフィルタ領域２０３Ｒと、光を遮光する遮光領域２０４−２とが設けられ、サブ画素ＳＢＢ５２には、Ｂの色のフィルタ領域２０３Ｂと、光を遮光する遮光領域２０４−３とが設けられている。
【０１１４】
ここで、遮光領域２０２−１乃至遮光領域２０２−３と、遮光領域２０４−１乃至遮光領域２０４−３は、それぞれ略長方形状の領域となっており、例えばｘｙ平面上のこれらの遮光領域と同じ位置に、ＴＦＴ基板６４を構成するＴＦＴ等の電子部材が配置されている。
【０１１５】
このように、遮光領域と重なるように電子部材を配置することで、電子部材によりフィルタ領域における光の透過率が低下してしまうことを防止することができる。
【０１１６】
また、多視点の立体画像が表示される場合、透明基板８２と透明基板８３の電極に電圧が印加されると、スイッチ液晶層８４には、図７中、右側に示すパララックスバリアが形成される。すなわち、バックライト３１から入射した光を遮光する遮光領域２１１−１乃至遮光領域２１１−３と、バックライト３１から入射した光を透過させるスリット領域２１２−１およびスリット領域２１２−２とからなるパララックスバリアが形成される。
【０１１７】
なお、以下、遮光領域２１１−１乃至遮光領域２１１−３を個々に区別する必要のない場合、単に遮光領域２１１とも称し、スリット領域２１２−１およびスリット領域２１２−２を個々に区別する必要のない場合、単にスリット領域２１２とも称する。
【０１１８】
図７に示すパララックスバリアは、ｙ方向に長い矩形の遮光領域２１１とスリット領域２１２とが、ｘ方向に交互に並んでおり、ストライプ状のバリアとなっている。このようなパララックスバリアが形成された場合、観察者が所定の視点位置から立体映像表示装置１１を見ると、例えばフィルタ面上の領域Ｑ３１および領域Ｑ３２が、観察者の右眼の視認領域となる。
【０１１９】
すなわち、観察者の右眼には、視点Ｖ１乃至視点Ｖ４の画像のうち、領域Ｑ３１および領域Ｑ３２に表示される視点Ｖ１の画像のみが知覚されることになる。この場合、バックライト３１からスリット領域２１２−１を介して入射し、領域Ｑ３１内の各フィルタ領域を透過した光は、観察者の右眼に入射する。同様に、バックライト３１からスリット領域２１２−１を介して入射し、領域Ｑ３２内の各フィルタ領域を透過した光は、観察者の右眼に入射する。
【０１２０】
さらに、このとき、バックライト３１からスリット領域２１２−１およびスリット領域２１２−２のそれぞれを通って入射し、フィルタ面上の領域ＰＶＲ２および領域ＰＶＲ６内にある各フィルタ領域を透過した光が、観察者の左眼に入射する。つまり、観察者の左眼には、領域ＰＶＲ２および領域ＰＶＲ６に表示されている視点Ｖ２の画像が知覚される。
【０１２１】
したがって、観察者には、視点Ｖ１の画像および視点Ｖ２の画像からなる立体画像が知覚されることになる。観察者の視点位置が移動すると、フィルタ面上の視認領域も移動し、観察者の左右の眼には、異なる視点の画像が観察されるようになる。
【０１２２】
このように多視点の立体画像を表示させる場合においても、観察者の視認領域の位置によらず、視認領域内にある各色のフィルタ領域の開口率（面積）が一定となるようになされている。
【０１２３】
具体的には、フィルタ面上のｘ方向の各位置において、サブ画素内のフィルタ領域のｙ方向の長さが略一定となるようになされている。換言すれば、フィルタ面上のｘ方向の各位置において、遮光領域のｙ方向の長さの合計値が略一定となるようになされている。
【０１２４】
例えば、サブ画素ＳＢＲ５１内の遮光領域２０２−１のｙ方向の長さは１２μｍとされる。また、サブ画素ＳＢＲ５１と、サブ画素ＳＢＲ５１の右側に隣接するサブ画素との間にある遮光領域の矢印Ｍ３１および矢印Ｍ３２に示す部分のｙ方向の長さは、それぞれ６μｍとされる。ここで、遮光領域の矢印Ｍ３１および矢印Ｍ３２に示される部分は、ｘ方向における同じ位置であり、これらの部分のｙ方向の長さの合計値（１２（＝６＋６）μｍ）は、遮光領域２０２−１のｙ方向の長さと同じとなっている。
【０１２５】
図７では、ｘ方向の各位置に、サブ画素内の遮光領域と、サブ画素間にある遮光領域とのうちの何れか一方のみが必ず存在するようになされているので、観察者の視認領域の位置によらず、遮光領域の面積が略一定となる。その結果、観察者の視認領域の位置によらず、視認領域内にある各色のフィルタ領域の面積（開口率）が一定となり、観察者の視点位置の変化により生じる視認領域内の輝度の変動を防止し、モアレの発生を抑制することができる。
【０１２６】
なお、光変調パネル３２のフィルタ面における各色のサブ画素の配置は、図７に示した配置に限らず、どのような配置とされてもよい。また、スイッチ液晶層８４に形成されるパララックスバリアもストライプ形状に限らず、平行四辺形状やステップ形状など、どのような形状のバリアであってもよい。
【０１２７】
〈第４の実施の形態〉
［フィルタ領域の配置について］
さらに、各サブ画素内に設けられる遮光領域の位置は、例えば図８に示すように、ＴＦＴ基板６４などに設けられたＴＦＴ等の電子部材の位置に応じて定められるようにしてもよい。
【０１２８】
なお、図８において、図７における場合と対応する部分には同一の符号を付してあり、その説明は適宜省略する。また、図中、横方向、縦方向、および奥行き方向は、それぞれｘ方向、ｙ方向、およびｚ方向を示している。さらに、図８では、各サブ画素のＲのカラーフィルタの領域は、文字「Ｒ」が記された斜線が施されている領域とされている。また、Ｇのカラーフィルタの領域およびＢのカラーフィルタの領域は、それぞれ文字「Ｇ」が記された縦線が施されている領域、および文字「Ｂ」が記された横線が施されている領域とされている。
【０１２９】
図８における各サブ画素は、図７におけるサブ画素とは、サブ画素内の遮光領域の位置のみが異なっており、その他の点では同じとなっている。また、図８のフィルタ面上における各色のサブ画素の配置も、図７における各色のサブ画素の配置と同じとなっている。
【０１３０】
すなわち、図７では、各サブ画素内において遮光領域が図７中、右側に配置されているのに対し、図８では、各サブ画素において遮光領域が図８中、左下に配置されている。
【０１３１】
例えば、図８において、サブ画素ＳＢＲ５１には、Ｒの色のフィルタ領域２４１Ｒと、遮光領域２４２−１とが設けられており、遮光領域２４２−１は、サブ画素ＳＢＲ５１内の図中、左下に位置している。
【０１３２】
同様に、サブ画素ＳＢＢ５１には、Ｂの色のフィルタ領域２４１Ｂと、遮光領域２４２−２とが設けられており、遮光領域２４２−２は、サブ画素ＳＢＢ５１内の図中、左下に位置している。また、サブ画素ＳＢＧ５１には、Ｇの色のフィルタ領域２４１Ｇと、遮光領域２４２−３とが設けられており、遮光領域２４２−３は、サブ画素ＳＢＧ５１内の図中、左下に位置している。
【０１３３】
そして、これらの遮光領域２４２−１乃至遮光領域２４２−３と重なるように、光変調パネル３２を構成するＴＦＴ基板６４などに設けられたＴＦＴ等の電子部材が配置されている。
【０１３４】
ここで、図８の例においても、観察者の視認領域の位置によらず、光変調パネル３２のフィルタ面上のｘ方向の各位置において、遮光領域のｙ方向の長さの合計値が略一定となるようになされている。
【０１３５】
つまり、ｘ方向の各位置に、サブ画素内の遮光領域と、サブ画素間の遮光領域とのうちの何れか一方のみが必ず存在し、観察者の視認領域の位置によらず、視認領域内における遮光領域の面積が略一定となるようになされている。したがって、観察者の視認領域の位置によらず、視認領域内にある各色のフィルタ領域の面積（開口率）が一定となり、観察者の視点位置の変化により生じる視認領域内の輝度の変動を防止し、モアレの発生を抑制することができる。
【０１３６】
なお、以上においては、立体画像をパララックスバリア方式により表示する場合について説明したが、レンチキュラーレンズ方式など、どのような方式で立体画像を表示するようにしてもよい。例えば、レンチキュラーレンズ方式で立体画像を表示する場合には、表示部２１に設けられたレンチキュラーレンズにより、各視点の画像が分離される。
【０１３７】
また、以上においては、光変調パネル３２に対向電極が設けられる構成を例として説明したが、光変調パネル３２は、対向電極の設けられないインプレーンスイッチング方式により、各画素の光の透過率を変化させる構成とされてもよい。さらに、光変調パネル３２に対向電極が設けられる場合においても、ツイストネマチック方式、垂直配向方式、電界効果複屈折方式等、どのような方式で各画素の透過率を変化させてもよい。
【０１３８】
図２のように、パララックスバリア３３を光変調パネル３２よりも観察者側に配置することにより、有機ＥＬ（Electro Luminescence）方式やプラズマディスプレイでの立体画像表示にも、本技術を適用することができる。
【０１３９】
また、以上においては、本技術を、立体画像を表示する立体映像表示装置に適用する場合を例に説明したが、本技術は、その他、マルチディスプレイなどの表示装置にも適用することができる。マルチディスプレイでは、例えば運転席や助手席など、異なる視点位置から同時に表示画面を見た場合に、視点位置ごとに異なる２次元画像が観察されるように、画像の表示が行なわれる。
【０１４０】
さらに、本技術の実施の形態は、上述した実施の形態に限定されるものではなく、本技術の要旨を逸脱しない範囲において種々の変更が可能である。
【符号の説明】
【０１４１】
１１  立体映像表示装置，  ２１  表示部，  ３２  光変調パネル，  ３３  パララックスバリア，  ７１Ｌ−１乃至７１Ｌ−４，７１Ｒ−１乃至７１Ｒ−４，７１  透過部，  ８４  スイッチ液晶層，  ９１−１乃至９１−４，９１  スリット領域，  ９２−１乃至９２−４，９２  遮光領域
【図１】
2012194274.tif 000003
【図２】
2012194274.tif 000004
【図３】
2012194274.tif 000005
【図４】
2012194274.tif 000006
【図５】
2012194274.tif 000007
【図６】
2012194274.tif 000008
【図７】
2012194274.tif 000009
【図８】
2012194274.tif 000010